(57)【要約】【課題】フィルタカートリッジの組立て及び分解を容易にするキー構造並びにキー構造を備えるフィルタデバイスを提供する。【解決手段】キー構造が本体と弾性アームとを含む。本体は水平方向に沿って延び、フィルタカートリッジとの結合のための結合部を含む。弾性アームは本体に接続され、水平方向に対して実質的に垂直な垂直方向に沿って下向きに延びる。シリンダ上の位置決め凹部との係合するために、係合フックが弾性アームの端に形成される。従って、係合フック及び位置決め凹部の係合によって、フィルタカートリッジをシリンダ上に容易に装着することができる。【選択図】図１
2020059022.tif 000002
【特許請求の範囲】
【請求項１】
シリンダにフィルタカートリッジを装着するためのキー構造であって、
水平方向に沿って延び、前記フィルタカートリッジと結合される結合部分を含む、本体と、
該本体に接続され、前記水平方向に対して実質的に垂直方向に沿って下向きに延びる、弾性アームとを含み、
シリンダにある位置決め凹部との係合のために、係合フックが前記弾性アームの端に形成される、
キー構造。
【請求項２】
前記本体に接続され、前記垂直方向に沿って下向きに延びる、少なくとも１つの固定ラグと、該少なくとも１つの固定ラグに形成され、前記水平方向に沿って延びる、当接部分とを更に含み、該当接部分は、前記係合フックが前記位置決め凹部と係合するときに、前記シリンダの端面にある突出リムに当接する、請求項１に記載のキー構造。
【請求項３】
前記本体に接続され、前記垂直方向に沿って上向きに延びる、少なくとも１つの作動リブを更に含み、該少なくとも１つの作動リブは、前記少なくとも１つの作動リブが作動させられるときに、前記本体を前記シリンダに対して回転させる、請求項１に記載のキー構造。
【請求項４】
当該キー構造の構造強度を強化するために、前記本体に配置される少なくとも１つの強化リブを更に含む、請求項１に記載のキー構造。
【請求項５】
前記結合部分は、前記フィルタカートリッジのエンドキャップのネック部分と取り外し可能に結合され、２つの係合突起が、前記結合部分の２つの側面から突出し、前記ネック部分の壁にある２つの係合凹部にそれぞれ対応する位置に配置され、前記２つの係合突起は、前記結合部分が前記ネック部分と結合されるときに、前記２つの係合凹部とそれぞれ係合する、請求項１に記載のキー構造。
【請求項６】
前記水平方向に沿う前記結合部分の断面の形状は、前記水平方向に沿う前記ネック部分の断面の形状と一致する、請求項５に記載のキー構造。
【請求項７】
前記水平方向に沿う前記結合部分の断面の形状は、前記水平方向に沿う前記ネック部分の断面の形状と一致しない、請求項５に記載のキー構造。
【請求項８】
カバーと、シリンダとを含む、シェルであって、前記カバーは、前記シリンダと取り外し可能に結合され、収容空間が、前記カバーと前記シリンダとによって囲まれ、位置決め凹部が、前記シリンダに形成される、シェルと、
前記収容空間内に配置されるフィルタカートリッジと、
該フィルタカートリッジを前記シリンダに装着するためのキー構造とを含み、該キー構造は、
水平方向に沿って延び、前記フィルタカートリッジと結合される結合部分を含む、本体と、
該本体に接続され、前記水平方向に対して実質的に垂直方向に沿って下向きに延びる、弾性アームとを含み、
前記位置決め凹部との係合のために、係合フックが前記弾性アームの端に形成される、
フィルタデバイス。
【請求項９】
前記シリンダは、前記係合フックが前記位置決め凹部に入るように案内するために、前記位置決め凹部の少なくとも１つの側面に配置される、少なくとも１つの案内構造を含む、請求項８に記載のフィルタデバイス。
【請求項１０】
前記キー構造は、前記本体に接続され、前記垂直方向に沿って下向きに延びる、少なくとも１つの固定ラグを更に含み、当接部分が、前記少なくとも１つの固定ラグに形成され、前記水平方向に沿って延び、突出リムが、前記シリンダの端面に形成され、前記当接部分は、前記係合フックが前記位置決め凹部と係合するときに、前記突出リムに当接する、請求項８に記載のフィルタデバイス。
【請求項１１】
前記キー構造は、前記本体に接続され、前記垂直方向に沿って上向きに延びる、少なくとも１つの作動リブを更に含み、該少なくとも１つの作動リブは、前記少なくとも１つの作動リブが作動させられるときに、前記本体を前記シリンダに対して回転させる、請求項８に記載のフィルタデバイス。
【請求項１２】
前記キー構造は、前記キー構造の構造強度を強化するために、前記本体に配置される少なくとも１つの強化リブを更に含む、請求項８に記載のフィルタデバイス。
【請求項１３】
前記フィルタカートリッジは、カートリッジ本体と、該カートリッジ本体に装着されるエンドキャップとを含み、ネック部分が、前記エンドキャップに形成され、前記結合部分は、前記ネック部分と取り外し可能に結合され、２つの係合凹部が、前記ネック部分の壁に形成され、２つの係合突起が、前記結合部分の２つの側面から突出し、前記２つの係合凹部にそれぞれ対応する位置に配置され、前記２つの係合突起は、前記結合部分が前記ネック部分と結合されるときに、前記２つの係合凹部とそれぞれ係合する、請求項８に記載のフィルタデバイス。
【請求項１４】
前記水平方向に沿う前記結合部分の断面の形状は、前記水平方向に沿う前記ネック部分の断面の形状と一致する、請求項１３に記載のフィルタデバイス。
【請求項１５】
前記水平方向に沿う前記結合部分の断面の形状は、前記水平方向に沿う前記ネック部分の断面の形状と一致しない、請求項１３に記載のフィルタデバイス。
【発明の詳細な説明】
【技術分野】
【０００１】
本発明は、フィルタ製品に関し、より具体的には、フィルタカートリッジの組立て及び分解を容易にするキー構造、並びにキー構造を備えるフィルタデバイスに関する。
【背景技術】
【０００２】
濾過技術の進歩及びフィルタ材料の開発に伴って，フィルタデバイスは、様々な分野において広く用いられている。フィルタデバイスは、通常、フィルタシェルと、フィルタカートリッジとを含む。フィルタシェルは、パイプラインとの接続のための吸引ポート及び排出ポートを有する。フィルタカートリッジは、濾過の目的を達成するために、プロセス流体、廃水又は飲料水から特定の物質を除去するためにフィルタシェル内に配置される。しかしながら、フィルタカートリッジの細孔は、使用の増加に伴って徐々に塞がれることがあり、それはフィルタデバイスの濾過効率に負の効果をもたらすだけでなく、フィルタデバイスの圧力差を増加させる。フィルタデバイスのフィルタ効率を維持し、フィルタデバイスの過大な圧力差を防止するために、フィルタカートリッジは、定期的に交換されなければならない。その上、ユーザがフィルタカートリッジを交換するとき、ユーザはフィルタカートリッジ上の残留物質に触れることがあり、それは潜在的な危険をもたらすことがある。従って、ユーザが安全且つ容易にフィルタカートリッジを交換することを可能にすることは、当該分野において重要な主題となる。
【先行技術文献】
【特許文献】
【０００３】
【特許文献１】ＣＮ１２８３３４１Ｃ
【特許文献２】ＣＮ１２８３３４２Ｃ
【特許文献３】ＥＰ１４９０１５８Ｂ１
【特許文献４】ＪＰ４２６６８３３Ｂ２
【特許文献５】ＪＰ４６６４５９６Ｂ２
【特許文献６】ＫＲ１０−０９２５５８７Ｂ１
【特許文献７】ＫＲ１０−０９５６８９５Ｂ１
【特許文献８】ＴＷ５６７０８５
【特許文献９】ＴＷ１２２２８９２
【特許文献１０】ＵＳ７１０１４７９Ｂ２
【特許文献１１】ＵＳ７１６９３０２Ｂ２
【特許文献１２】ＵＳ７５２０９８４Ｂ２
【特許文献１３】ＷＯ０３／０８２４３４Ａ１
【特許文献１４】ＷＯ０３／０８２４３５Ａ１
【発明の概要】
【発明が解決しようとする課題】
【０００４】
従って、フィルタカートリッジの組立て及び分解を容易にするキー構造、並びにキー構造を備えるフィルタデバイスを提供することが、本発明の目的である。
【課題を解決するための手段】
【０００５】
前述の目的を達成するために、本発明は、シリンダにフィルタカートリッジを装着するキー構造を開示する。キー構造は、本体と、弾性アームとを含む。本体は、水平方向に沿って延び、フィルタカートリッジと結合される結合部分を含む。弾性アームは、本体に接続され、水平方向に対して実質的に垂直方向に沿って下向きに延びる。シリンダにある位置決め凹部との係合のために、係合フックが前記弾性アームの端に形成される。
【０００６】
本発明のある実施形態によれば、キー構造は、本体に接続され、垂直方向に沿って下向きに延びる、少なくとも１つの固定ラグを更に含む。当接部分が、少なくとも１つの固定ラグに形成され、水平方向に沿って延び、当接部分は、係合フックが位置決め凹部と係合するときに、シリンダの端面にある突出リムに当接する。
【０００７】
本発明のある実施形態によれば、キー構造は、本体に接続され、垂直方向に沿って上向きに延びる、少なくとも１つの作動リブを更に含み、少なくとも１つの作動リブは、少なくとも１つの作動リブが作動させられるときに、本体を前記シリンダに対して回転させる。
【０００８】
本発明のある実施形態によれば、キー構造は、キー構造の構造強度を強化するために、本体に配置される少なくとも１つの強化リブを更に含む。
【０００９】
本発明のある実施形態によれば、結合部分は、フィルタカートリッジのエンドキャップのネック部分と取り外し可能に結合される。２つの係合突起が、結合部分の２つの側面から突出し、ネック部分の壁にある２つの係合凹部にそれぞれ対応する位置に配置され、２つの係合突起は、結合部分がネック部分と結合されるときに、２つの係合凹部とそれぞれ係合する。
【００１０】
本発明のある実施形態によれば、水平方向に沿う結合部分の断面の形状は、水平方向に沿うネック部分の断面の形状と一致する。
【００１１】
本発明のある実施形態によれば、水平方向に沿う結合部分の断面の形状は、水平方向に沿うネック部分の断面の形状と一致しない。
【００１２】
前述の目的を達成するために、本発明は、フィルタデバイスを更に開示する。フィルタデバイスは、シェルと、フィルタカートリッジと、キー構造とを含む。シェルは、カバーと、シリンダとを含む。カバーは、シリンダと取り外し可能に結合される。収容空間が、カバーとシリンダとによって囲まれる。位置決め凹部が、シリンダに形成される。フィルタカートリッジは、収容空間内に配置される。キー構造は、フィルタカートリッジをシリンダに装着するためにある。キー構造は、本体と、弾性アームとを含む。本体は、水平方向に沿って延び、フィルタカートリッジと結合される結合部分を含む。弾性アームは、本体に接続され、水平方向に対して実質的に垂直方向に沿って下向きに延びる。位置決め凹部との係合のために、係合フックが弾性アームの端に形成される。
【００１３】
本発明のある実施形態によれば、シリンダは、係合フックが位置決め凹部に入るように案内するために、位置決め凹部の少なくとも１つの側面に配置される、少なくとも１つの案内構造を含む。
【００１４】
本発明のある実施形態によれば、キー構造は、本体に接続され、垂直方向に沿って下向きに延びる、少なくとも１つの固定ラグを更に含む。当接部分が、少なくとも１つの固定ラグに形成され、水平方向に沿って延びる。突出リムが、シリンダの端面に形成され、当接部分は、係合フックが位置決め凹部と係合するときに、突出リムに当接する。
【００１５】
本発明のある実施形態によれば、フィルタカートリッジは、カートリッジ本体と、カートリッジ本体に装着されるエンドキャップとを含む。ネック部分が、エンドキャップに形成される。結合部分は、ネック部分と取り外し可能に結合される。２つの係合凹部が、ネック部分の壁に形成される。２つの係合突起が、結合部分の２つの側面から突出し、２つの係合凹部にそれぞれ対応する位置に配置され、２つの係合突起は、結合部分が前記ネック部分と結合されるときに、２つの係合凹部とそれぞれ係合する。
【００１６】
要約すると、本発明のキー構造は、フィルタカートリッジと結合される結合部分を利用し、係合フックを更に利用して、シリンダにある位置決め凹部と係合する。従って、シリンダにフィルタカートリッジを装着することが望まれるときには、結合部分をフィルタカートリッジと結合させ、次に、キー構造を作動させて、シリンダにある位置決め凹部に係合フックを係合させるだけでよく、それはフィルタカートリッジの組立てを達成する。更に、シリンダをカバーから取り外すときには、フィルタカートリッジ及びシリンダを一緒に取り外すことができ、それはフィルタカートリッジの交換のための保守空間を節約する。その上、フィルタカートリッジをシリンダから取り外すことが望まれるときには、フィルタカートリッジ及びキー構造をシリンダから一緒に取り外すことを可能にするために、キー構造を作動させて、シリンダにある位置決め凹部から係合フックを取り外すだけでよい。従って、本発明のキー構造は、簡単な構造、フィルタカートリッジの交換のための保守空間の節約、及び容易な操作という利点を有する。加えて、前述の取外しプロセスの間に、ユーザは、フィルタカートリッジではなくキー構造のみに触れ、それはフィルタカートリッジ上の残留物質に触れることによって引き起こされる潜在的な危険を効果的に防止する。
【００１７】
本発明のこれらの目的及び他の目的は、様々な図及び図面に例示する好ましい実施形態の以下の詳細な記述を読んだ後、当業者に疑義なく明らかになるであろう。
【図面の簡単な説明】
【００１８】
【図１】本発明の実施形態に従ったフィルタデバイスの概略図である。
【００１９】
【図２】本発明の実施形態に従ったフィルタデバイスの分解図である。
【図３】本発明の実施形態に従ったフィルタデバイスの分解図である。
【００２０】
【図４】本発明の実施形態に従ったシリンダの図である。
【００２１】
【図５】本発明の実施形態に従った異なる視野におけるキー構造及びフィルタカートリッジの図である。
【図６】本発明の実施形態に従った異なる視野におけるキー構造及びフィルタカートリッジの図である。
【００２２】
【図７】本発明の実施形態に従った異なる視野における第１の状態にあるフィルタデバイスの図である。
【図８】本発明の実施形態に従った異なる視野における第１の状態にあるフィルタデバイスの図である。
【図９】本発明の実施形態に従った異なる視野における第１の状態にあるフィルタデバイスの図である。
【００２３】
【図１０】本発明の実施形態に従った異なる視野における第２の状態にあるフィルタデバイスの図である。
【図１１】本発明の実施形態に従った異なる視野における第２の状態にあるフィルタデバイスの図である。
【図１２】本発明の実施形態に従った異なる視野における第２の状態にあるフィルタデバイスの図である。
【発明を実施するための形態】
【００２４】
好ましい実施形態の以下の詳細な記述では、添付の図面を参照する。添付の図面は、本明細書の一部を形成し、本発明が実施されることがある特定の実施形態を一例として示す。これに関して、「頂」、「底」、「正面」、「背面」などのような方向の用語は、説明されている（複数の）図の向きを参照して使用される。本発明の構成要素を数多くの異なる向きに配置することができる。よって、方向の用語は、例示の目的のために使用されており、決して限定的なものでない。従って、図面及び記述は、本質的に例示的なものと考えられ、限定的なものと考えられない。
【００２５】
図１〜図３を参照する。図１は、本発明の実施形態に従ったフィルタデバイス１の概略図である。図２及び図３は、本発明の実施形態に従ったフィルタデバイス１の分解図である。図１〜図３に示すように、フィルタデバイス１は、シェル１１と、フィルタカートリッジ１２と、キー構造１３とを含む。シェル１１は、カバー１１１と、シリンダ１１２とを含む。カバー１１１及びシリンダ１１２は、互いに取り外し可能に結合される(組み合わされる)(combined)。収容空間１１３が、カバー１１１及びシリンダ１１２によって囲まれている。フィルタカートリッジ１２は、シリンダ１１２に取り付けられ、収容空間１１３内に配置される。カバー１１１は、吸引ポート１１１１と、排出ポート１１１２と、連通部分１１１３とを含む。吸引ポート１１１１は、図示されていない上流パイプラインとの接続のために、収容空間１１３と連通する。連通部分１１１３は、フィルタカートリッジ１２との接続のために、収容空間１１３内に配置される。排出ポート１１１２は、図示されていない下流パイプラインとの接続のために、連通部分１１１３と連通する。そのようにして、上流パイプライン及び下流パイプラインが、吸引ポート１１１１及び排出ポート１１１２にそれぞれ接続されるとき、流体は、吸引ポート１１１１から収容空間１１３に流入し、次に、フィルタカートリッジ１２によって濾過されるよう、フィルタカートリッジ１２を通じて流れる。その後、流体は、連通部分１１１３及び排出ポート１１１２を通じて下流パイプラインに流れることができ、それは流体を濾過する目的を達成する。
【００２６】
具体的には、図２〜図６を参照のこと。図４は、本発明の実施形態に従ったシリンダ１１２の図である。図５及び図６は、本発明の実施形態に従った異なる視野におけるキー構造１３及びフィルタカートリッジ１２の図である。図２〜図６に示すように、キー構造１３は、本体１３１と、弾性アーム１３２と、２つの固定ラグ１３３と、２つの作動リブ１３４と、８つの強化リブ１３５とを含む。本体１３１は、水平方向Ｈに沿って延び、フィルタカートリッジ１２との結合(組み合わせ)(combination)のための結合部分１３１１を含む。フィルタカートリッジ１２は、エンドキャップ１２１と、カートリッジ本体１２２とを含む。エンドキャップ１２１は、カートリッジ本体１２２に装着される。ネック部分１２１１及び接続部分１２１２が、端部キャップ１２１に形成されている。接続部分１２１２は、連通部分１１１３に接続されるためにある。ネック部分１２１１は、結合部分１３１１と取り外し可能に結合されるためにある。
【００２７】
具体的には、２つの係合凹部１２３が、ネック部分１２１１の壁に形成される。２つの係合突起１３１２は、結合部分１３１１の２つの側面から突出し、ネック部分１２１１にある２つの係合凹部１２３にそれぞれ対応する位置に配置される。結合部分１３１１がネック部分１２１１と取り外し可能に結合されるとき、２つの係合突起１３１２は、それぞれ、２つの係合凹部１２３と係合するので、２つの係合突起１３１２及び２つの係合凹部１２３の係合によって、キー構造１３及びフィルタカートリッジ１２を互いにしっかりと係合させることができる。好ましくは、この実施形態において、水平方向Ｈに沿う結合部分１３１１の断面の形状及び水平方向Ｈに沿うネック部分１２１１の断面の形状は互いに一致し、ヒョウタン(gourd)の形状に形成されることができる。詳細には、結合部分１３１１の開放端は、結合部分１３１１の閉塞端よりも狭くあることができ、それは結合部分１３１１をネック部分１２１１とよりしっかりと係合させる。しかしながら、本発明は、この実施形態に限定されない。水平方向Ｈに沿う結合部分１３１１の断面の形状は、水平方向Ｈに沿うネック部分１２１１の断面の形状と一致する必要はない。例えば、別の実施形態において、ネック部分１２１１の断面は、犬骨(dog  bone)の形状に形成されることができ、結合部分１３１１の断面は、犬骨の形状と一致しないヒョウタンの形状に形成されることができる。
【００２８】
更に、弾性アーム１３２は、本体１３１に接続され、水平方向Ｈに対して実質的に垂直な垂直方向Ｖに沿って下方に延びる。係合フック１３２１が、弾性アーム１３２の端に形成されている。位置決め凹部１１２１が、シリンダ１１２に形成されている。キー構造１３がフィルタカートリッジ１２と結合された後に、フィルタカートリッジ１２及びキー構造１３は、一緒にシリンダ１１２内に配置されることができる。フィルタカートリッジ１２及びキー構造１３がシリンダ１１２内に一緒に配置されると、係合フック１３２１は、シリンダ１１２内に下方に伸びて、シリンダ１１２に対するキー構造１３の組立て及び位置決めを達成するために、位置決め凹部１１２１と係合することができる。この実施形態において、シリンダ１１２は、好ましくは、２つの案内構造１１２２を含むことができる。２つの案内構造１１２２は、係合フック１３２１が位置決め凹部１１２１に入るよう或いは位置決め凹部１１２１から出るよう案内するために、位置決め凹部１１２１の２つの側に配置されている。２つの固定ラグ１３３は、本体１３１に接続され、垂直方向Ｖに沿って下向きに延びる。２つの固定ラグ１３３は、弾性アーム１３２の２つの側に配置される。係合フック１３２１が位置決め凹部１１２１と係合するときに、シリンダ１１２の端面１１２３にある突出リム１１２４に当接するために、当接部分１３３１が、各固定ラグ１３３に形成され、水平方向Ｈに沿って延びる。係合フック１３２１及び２つの当接部分１３３１は、シリンダ１１２に対するキー構造１３の組立て安定性を達成するために、３点支持体を形成することができる。しかしながら、位置決め凹部１１２１、弾性アーム１３２、係合フック１３２１、固定ラグ１３３及び当接部分１３３１の数及び構成は、この実施形態の図に例示するものに限定されない。それは実際的な要求に依存する。
【００２９】
更に、係合フック１３２を位置決め凹部１２２１と回転可能に係合させて或いは位置決め凹部から回転可能に係合解除させて、キー構造１３の組立て又は分解を達成するよう、ユーザが２つの作動リブ１３４を作動させてシリンダ１１２に対して本体１３１を回転させることを可能にするために、２つの作動リブ１３４は、本体１３１に接続され、垂直方向Ｖに沿って上向きに延びる。８つの強化リブ１３５は、それぞれ、キー構造１３の構造強度を強化するために、本体１３１、本体１３１と弾性アーム１３２との接続部分、及び本体１３１と各固定ラグ１３３との接続部分に配置されている。しかしながら、強化リブ１３５の数、サイズ、及び構成は、この実施形態の図に例示するものに限定されない。それは実際的な要求に依存する。
【００３０】
図２〜図３及び図７〜図１２を参照のこと。図７〜図９は、本発明の実施形態に従った異なる視野における第１の状態にあるフィルタデバイス１の図である。図１０〜図１２は、本発明の実施形態に従った異なる視野における第２の状態にあるフィルタデバイス１の図である。図２及び図３に示すように、フィルタデバイス１を組み立てることが望まれるとき、シリンダ１１２をカバー１１１から取り外すことができる。その後、キー構造１３とフィルタカートリッジ１２の組み立てを達成するために、キー構造１３の本体１３１の結合部分１３１１をフィルタカートリッジ１２のネック部分１２１１と結合させることができる。更に、図７に示すように、当接部分１３３１がシリンダ１１２の端面１１２３にある突出リム１１２４に当接するまで、キー構造１３とフィルタカートリッジ１２とのアセンブリをシリンダ１１２内に配置することができる。上述のプロセスの間に、シリンダ１１２の内壁が係合フック１３２１と干渉するので、弾性アーム１３２は弾性的に内向きに変形させられることが留意されなければならない。
【００３１】
その上、当接部分１３３１が突出リム１１２４に当接するとき、係合フック１３２１及び位置決め凹部１１２１は、同じ高さ又はレベルに配置される。このとき、係合フック１３２１が、図９に示すように、位置決め凹部１１２１と位置合わせされない(misaligned)ならば、ユーザは、２つの作動リブ１３４を作動させて、キー構造１３及びフィルタカートリッジ１２を全体的に、シリンダ１１２に対して、図８に示すような位置から図１１に示すような位置まで回転させることができるので、係合フック１３２１は、位置決め凹部１１２１と位置合わせされる(aligned)よう案内構造１１２２を通過することができ、それは、キー構造１３によってフィルタカートリッジ１２をシリンダ１１２に装着するという目的を達成するために、係合フック１３２１が、弾性的に変形させられた弾性アーム１３２の回復力によって、図１２に示すように、位置決め凹部１１２１と係合させられることを可能にする。その後、ユーザは、フィルタデバイス１の組立てを達成するために、フィルタカートリッジ１２が取り付けられるシリンダ１１２上にカバー１１１を取り付けることができる。しかしながら、それはこの実施形態に限定されない。例えば、当接部分１３３１が突出リム１１２４に当接する状態で、係合フック１３２１が位置決め凹部１１２１と位置合わせされるならば、本体１３１及び本体１３１に接続された係合フック１３２１を回転させるために作動リブ１３４を作動させることは必要とされない。シリンダ１１２に対するキー構造１３の組立て及び位置決めを達成するために、弾性的に変形させられた弾性アーム１３２は弾性的に回復して、係合フック１３２１を位置決め凹部１１２１と係合させることができる。
【００３２】
ある時間期間の使用後にフィルタカートリッジ１２を交換することが望ましいとき、ユーザはカバー１１１からシリンダ１１２を取り外すことができる。なぜならば、フィルタカートリッジ１２は、キー構造１３によってシリンダ１１２に装着されているからである。このとき、フィルタカートリッジ１２は、カバー１１１に取り付けられる代わりに、シリンダ１１２の取外しと共に取り外されることができる。従って、カバー１１１からのシリンダ１１２の取外しの間に、シリンダ１１２を下向きに分解してフィルタカートリッジ１２全体を露出させることは必要とされず、それはフィルタカートリッジ１２の交換のための保守空間を節約する。その後、ユーザは、２つの作動リブ１３４を作動させて、キー構造１３及びフィルタカートリッジ１２を全体的にシリンダ１１２に対して回転させることができるので、係合フック１３２１は、案内構造１１２２を通過して、位置決め凹部１１２１から係合解除されることができる。位置決め凹部１１２１からの係合フック１３２１の係合解除の間に、弾性アーム１３２は、係合フック１３２１及びシリンダ１１２の内壁との干渉によって弾性的に変形させられることができる。従って、係合フック１３２１が位置決め凹部１１２１から外れると、ユーザは、キー構造１３及びフィルタカートリッジ１２を全体的にシリンダ１１２から容易に一緒に取り外すことができる。キー構造１３及びフィルタカートリッジ１２の前述の取外しの間に、それはユーザがフィルタカートリッジ１２に直接的に触れるのを防止し得ることが留意されるべきである。従って、本発明は、フィルタカートリッジ１２上の残留物質に触れることによって引き起こされる潜在的な危険を防止することができる。キー構造１３は、カートリッジフィルタ１２の交換と共に交換されることができる。換言すれば、使用済みキー構造１３及び使用済みフィルタカートリッジ１２の取外し後、使用済みキー構造１３を使用済みフィルタカートリッジ１２から取り外すことは必要でない。代わりに、使用済みフィルタカートリッジ１２又はキー構造１３上の残留物質に触れることによって引き起こされる潜在的な危険を防止するために、使用済みフィルタカートリッジ１３及び使用済みフィルタカートリッジ１２の古いアセンブリを交換するために、新しいキー構造を新しいフィルタカートリッジと結合させることができる。
【００３３】
従来技術とは対照的に、本発明のキー構造は、フィルタカートリッジと結合させられるべき結合部分を利用し、シリンダ上の位置決め凹部と係合する係合フックを更に利用する。従って、シリンダ上にフィルタカートリッジを取り付けることが望まれるときには、結合部分をフィルタカートリッジと結合させ、次に、キー構造を作動させて、係合フックをシリンダ上の位置決め凹部と係合させるだけでよく、それはフィルタカートリッジの組立てを達成する。更に、シリンダをカバーから取り外されるとき、フィルタカートリッジ及びシリンダを一緒に取り外すことができ、それはフィルタカートリッジの交換のための保守空間を節約する。その上、シリンダからフィルタカートリッジを取り外すことが望まれるときには、シリンダからのフィルタカートリッジ及びキー構造の一緒の取外しを可能にするために、キー構造を作動させて係合フックをシリンダ上の位置決め凹部から外すだけでよい。従って、本発明のキー構造は、簡単な構造、フィルタカートリッジの交換のための保守空間の節約、及び容易な操作という利点を有する。加えて、前述の取外しプロセスの間に、ユーザは、フィルタカートリッジではなく、キー構造に触れるだけであり、それはフィルタカートリッジ上の残留物質に触れることによって引き起こされる潜在的な危険を効果的に防止する。
【００３４】
当業者は、本発明の教示を保持しながら、デバイス及び方法の数多くの修正及び変更が行われてよいことを容易に理解するであろう。従って、上記開示は、添付の特許請求の範囲の境界によってのみ限定されると解釈されるべきである。
【符号の説明】
【００３５】
１        フィルタデバイス  (filter  device)
１１      シェル  (shell)
１１１    カバー  (cover)
１１１１  吸引ポート  (suction  port)
１１１２  排出ポート  (discharging  port)
１１１３  連通部分  (communication  portion)
１１２    シリンダ  (cylinder)
１１２１  位置決め凹部  (positioning  recess)
１１２２  案内構造  (guiding  structures)
１１２３  端面  (end  surface)
１１２４  突出リム  (protruding  rim)
１１３    収容空間  (accommodating  space)
１２      フィルタカートリッジ  (filter  cartridge)
１２１    エンドキャップ  (end  cap)
１２１１  ネック部分  (neck  portion)
１２１２  接続部分  (connecting  portion)
１２２    カートリッジ本体  (cartridge  body)
１２３    係合凹部  (engaging  recesses)
１３      キー構造  (key  structure)
１３１    本体  (main  body)
１３１１  結合部分  (combining  portion)
１３１２  係合突起  (engaging  protrusions)
１３２    弾性アーム  (resilient  arm)
１３２１  係合フック  (engaging  hook)
１３３    固定ラグ  (fixing  lugs)
１３３１  当接部分  (abutting  portions)
１３４    作動リブ  (operating  ribs)
１３５    強化リブ  (strengthening  ribs)
【図１】
2020059022.tif 000003
【図２】
2020059022.tif 000004
【図３】
2020059022.tif 000005
【図４】
2020059022.tif 000006
【図５】
2020059022.tif 000007
【図６】
2020059022.tif 000008
【図７】
2020059022.tif 000009
【図８】
2020059022.tif 000010
【図９】
2020059022.tif 000011
【図１０】
2020059022.tif 000012
【図１１】
2020059022.tif 000013
【図１２】
2020059022.tif 000014
【手続補正書】
【提出日】令和1年11月11日(2019.11.11)
【手続補正１】
【補正対象書類名】明細書
【補正対象項目名】０００３
【補正方法】変更
【補正の内容】
【０００３】
【特許文献１】ＣＮ１２８３３４１Ｃ
【特許文献２】ＣＮ１２８３３４２Ｃ
【特許文献３】ＥＰ１４９０１５８Ｂ１
【特許文献４】ＪＰ４２６６８３３Ｂ２
【特許文献５】ＪＰ４６６４５９６Ｂ２
【特許文献６】ＫＲ１０−０９２５５８７Ｂ１
【特許文献７】ＫＲ１０−０９５６８９５Ｂ１
【特許文献８】ＴＷ５６７０８５
【特許文献９】ＴＷＩ２２２８９２
【特許文献１０】ＵＳ７１０１４７９Ｂ２
【特許文献１１】ＵＳ７１６９３０２Ｂ２
【特許文献１２】ＵＳ７５２０９８４Ｂ２
【特許文献１３】ＷＯ０３／０８２４３４Ａ１
【特許文献１４】ＷＯ０３／０８２４３５Ａ１
【外国語明細書】
2020059022000001.pdf